(57)【要約】【課題】ＢＳＥ感染検査などにおける家畜の解体処理で発生する血液などの液体分を確実に回収する。【解決手段】解体処理時または解体処理後の家畜Ｃの下に敷いておく吸液マットである。家畜Ｃから放出される液体分を吸収する吸液枕材３０と、吸液枕材３０を保持する保持シート２０とを備える。保持シート２０は、柔軟な非透液シートからなる底面部２２と、柔軟な非透液シートからなり、底面部２２の外周辺上面に沿って帯状に配置され、外周側が底面部２２と一体形成され、内周側が底面部２２に対して起立可能な周壁部２４とを備える。保持シート２０の底面部２２に吸液枕材３０が載せられ、吸液枕材３０の一部が周壁部２４と底面部２２との間に挟み込まれて周壁部２４が起立状態になる。【選択図】  図２
2004187553.tif 000002
【特許請求の範囲】
【請求項１】
解体処理時または解体処理後の家畜の下に敷いておく吸液マットであって、
家畜から放出される液体分を吸収する吸液枕材と、
前記吸液枕材を保持する保持シートとを備え、
前記保持シートは、
柔軟な非透液シートからなる底面部と、
柔軟な非透液シートからなり、前記底面部の外周辺上面に沿って帯状に配置され、外周側が底面部と一体形成され、内周側が底面部に対して起立可能な周壁部とを備え、
前記保持シートの底面部に前記吸液枕材が載せられ、吸液枕材の一部が前記周壁部と底面部との間に挟み込まれて周壁部が起立状態になっている
家畜解体用の吸液マット。
【請求項２】
前記吸液枕材が、吸液性を有する吸液小片が通液性を有する収容袋に充填されてなる吸液袋体である
請求項１に記載の家畜解体用の吸液マット。
【請求項３】
前記吸液小片が、吸水性ポリマー配合パルプ紙、パルプ紙、不織布、ウェブからなる群から選ばれる材料を短冊状に裁断してなるものであり、
前記収容袋が、メッシュ状不織布、多孔性不織布、メッシュ状不織布と多孔性不織布との積層シートからなる群から選ばれる材料で作製されている
請求項２に記載の家畜解体用の吸液マット。
【請求項４】
請求項１〜３の何れかに記載の吸液マットに用いられる吸液枕材の保持シートであって、
柔軟な非透液シートからなる底面部と、
柔軟な非透液シートからなり、前記底面部の外周辺上面に沿って帯状に配置され、外周側が底面部と一体形成され、内周側が底面部に対して起立可能な周壁部とを備える
吸液枕材の保持シート。
【請求項５】
前記非透液シートが、ポリエチレン（ＰＥ）、ポリプロピレン（ＰＰ）、ポリエチレンテレフタレート（ＰＥＴ）からなる群から選ばれ、厚み５０〜１５０μｍの樹脂シートである
請求項４に記載の吸液枕材の保持シート。
【請求項６】
前記周壁部の幅Ｗが５〜１５ｃｍであり、
周壁部の幅Ｗと辺長Ｌとが、Ｗ／Ｌ＝０．０７５〜０．１５の関係にある
請求項４または５に記載の吸液枕材の保持シート。
【発明の詳細な説明】
【０００１】
【発明の属する技術分野】
本発明は、家畜解体用の吸液マットおよび吸液枕材の保持シートに関し、詳しくは、牛などの家畜を解体したり解体後の家畜を保管したりしておくときに、血液などの体液が周囲に拡散しないように家畜の下に敷いておく吸液マットと、この吸液マットに使用される吸液枕材を保持する保持シートとを対象にしている。
【０００２】
【従来の技術】
近年、家畜、特に牛のＢＳＥ（牛海綿状脳症）感染が大きな問題になっている。
ＢＳＥ感染の疑いがある牛は、解体検査が行われる。食肉として出荷される全ての牛、あるいは、飼育中に死亡した牛の全てについて、解体検査でＢＳＥ感染がないことの確認を求められることもある。解体検査では、主に、牛の頭部あるいは延髄などを解体して検査組織を採取する。
一般的に、牛などの食肉となる家畜は、屠殺場で屠殺および解体されて出荷される。屠殺場の床や屠殺台は、水で洗浄し、洗浄水は浄化処理を行ってから下水等に排出されている。
【０００３】
ところが、ＢＳＥ感染に対する解体検査では、ＢＳＥ感染の疑いがある組織あるいはＢＳＥ原因物質が、血液などの体液に混入する怖れがある。通常の屠殺および解体作業のように、作業台やその周辺に水を流して洗浄すると、ＢＳＥ原因物質が環境に放出され拡散してしまう危険性がある。
そこで、前記のような解体検査の際には、家畜から出る血液、吐瀉物その他の液体は全て回収して、最終的には焼却などで廃棄処分することが求められる。
解体検査の際に生じる液体分を回収する手段としては、例えば、検査場の床にビニールシートを敷いておくことが行われる。ビニールシートの上に溜まった液体分を回収する。また、オガクズや新聞紙などの吸液材を、予め床に撒いておいたり液体の上に撒いたりして液体を吸収させることも行われる。
【０００４】
本件発明者らが先に特許出願した特願２００２−２２６５３８号（先行技術１）には、吸液性のある短冊状の小片を通液性のある袋に詰めた枕状の吸収用物品を、牛などの大型家畜の下に敷いておいたり、大型家畜の周囲に土手状に並べておいたりする技術を開示している。前記小片は、通常の吸液材料であるオガクズや新聞紙に比べて、はるかに吸液性能が高い。しかも、小片を袋に詰めた状態にしておけば、輸送保管などの取扱いが容易であり、家畜の下や周囲に置く作業も行い易く、使用後に回収するのも容易である。
【０００５】
【発明が解決しようとする課題】
前記した先行技術１の枕状の吸収用物品すなわち吸液枕材でも、家畜から出る液体分を完全に吸収して回収することができない場合がある。
例えば、牛のような大きな家畜を薬殺直後に解体したような場合、大量の血液などが迅速に広い範囲にわたって放出されるので、家畜の下に敷いた吸液枕材に吸収される前に、吸液枕材の表面を流れ出したりして周囲に漏れてしまうことがある。
一旦は吸液枕材に吸収された液体が、吸液枕材内で落下移行して、解体場の床に染み出すことがある。吸液枕材に加わる家畜の重量や、作業員が吸液枕材を踏み付けたりすることによっても、吸液枕材から液体分が漏れることがある。解体された家畜を、しばらく保管しておくような場合には、経時的に液体の染み出しが生じる。吸液枕材の吸液容量を超える液体分が発生すれば、当然、過剰の液体分は吸液枕材の外に漏れ出てしまう。
【０００６】
解体現場の床にビニールシートを敷いて、その上に前記吸液枕材を置くことも考えられた。しかし、ビニールシートの上に漏れた液体分は、ビニールシートの表面を流れるように移動して、ビニールシートの外側に漏れてしまう。また、血液などが付着したビニールシートは、次に使用する前に十分に洗浄や殺菌を行わなければならず、作業の手間が増える。
本発明の課題は、前記したＢＳＥ感染検査などにおける家畜の解体処理で発生する血液などの液体分を確実に回収できるようにすることである。
【０００７】
【課題を解決するための手段】
本発明にかかる家畜解体用の吸液マットは、解体処理時または解体処理後の家畜の下に敷いておく吸液マットであって、家畜から放出される液体分を吸収する吸液枕材と、前記吸液枕材を保持する吸液枕材の保持シートとを備え、前記保持シートは、柔軟な非透液シートからなる底面部と、柔軟な非透液シートからなり、前記底面部の外周辺上面に沿って帯状に配置され、外周側が底面部と一体形成され、内周側が底面部に対して起立可能な周壁部とを備え、前記保持シートの底面部に前記吸液枕材が載せられ、吸液枕材の一部が前記周壁部と底面部との間に挟み込まれて周壁部が起立状態になっている。
【０００８】
〔家畜の解体処理〕
家畜としては、ＢＳＥ感染の問題が最も重大とされている食肉牛が対象になる。食肉牛以外にも、同様の解体作業に供せられる家畜も対象になる。例えば、乳牛や羊、馬、豚なども対象になる。解体を解体現場の床上で行わなければならなかったり、解体時に大量の液体分が発生したりする大型の家畜に特に有効である。
解体処理の際に、ＢＳＥ原因物質を拡散させる可能性があり、確実に回収することが必要になる物質としては、血液や髄液、漿液などがある。尿や吐瀉物も回収することが望ましいとされている。
【０００９】
解体処理は、全身に対して行う場合もあるし、頭部などの身体の一部だけに行う場合もある。ＢＳＥ感染検査で良く行われるのは、牛の頚部を切断して頭部から延髄を採取する作業である。脊髄や神経細胞などを採取する場合には、胴部や腹部の解体も必要になる。
ＢＳＥ感染検査以外でも、同様に血液等の拡散を防止する必要がある各種検査作業あるいは解体処理にも適用される。
本発明の家畜解体用の吸液マットは、これらの解体処理を行う際に、家畜の下に敷いておく。解体処理を行った後の家畜を保管しておく際にも使用できる。
【００１０】
解体処理の方法によって、家畜の全身の下に敷いておく場合と、一部のみの下に敷いておく場合とがある。少なくとも、血液などの液体分が放出されたり、液体分が移行したりする心配のある部分に敷いておくことが望ましい。
吸液マットは、吸液枕材とその保持シートとを備える。
〔吸液枕材〕
吸液枕材は、家畜から放出される液体分を吸収する。
液体分の吸収機能があれば、吸液枕材の使用材料および構造は特に限定されない。血液その他の液体吸収用に使用されている各種の吸収材料が使用できる。水などの液体に比べて粘性が高く有機物質等を多く含む血液などの体液を良好に吸収できる材料が好ましい。
【００１１】
吸液枕材の形状としては、一定の厚みと面積のある立体形状を有していればよい。使用時に、吸液枕材の一部を保持シートの底面部と周壁部との間に挟み込んだときに、確実に保持されるとともに、保持シートの周壁部を十分に起立した状態に維持できるものが好ましい。例えば、平面形状として、矩形、多角形、長円形、円形などが挙げられる。全体の厚みが一定の平盤状をなすもののほか、垂直断面が円形、長円形、楕円形、台形などをなすものもある。
吸液枕材の寸法としては、吸液マットの用途、吸液マットに用いる吸液枕材の数などの条件によっても違ってくるが、通常、平面形状で１辺の長さが３０〜７０ｃｍ、厚みが３〜８ｃｍの範囲のものが使用できる。なお、吸液枕材が変形性を有するものの場合、上記寸法は、静置した状態での寸法で規定される。
【００１２】
吸液枕材の構造として、吸液性のあるシート材や板材を積層した積層盤体、吸液性材料を成形してなる成形体がある。具体的には、吸水紙や吸水性不織布を積層したもの、吸液性のある発泡ウレタンなどの発泡樹脂を成形したものなどが挙げられる。積層されたシート材の間に吸水性樹脂などからなる高吸水性材料の粉体を挟んでおくもの、多孔性の吸水材料に吸水性物質を担持させたものもある。
さらに、吸液枕材の好ましい形態として、吸液袋体がある。
〔吸液袋体〕
吸液性を有する吸液材料の小片や粒体、塊体が、通液性を有する収容袋に充填されてなる。収容袋を用いることで、吸液材料が散逸せず、吸液枕材の形状が維持し易い。
【００１３】
吸液材料として、モミガラや吸水性樹脂粒子、粉砕パルプなども採用できるが、以下に説明する吸液小片が好ましい。
＜吸液小片＞
吸液小片の材料としては、通常の吸液性材料が使用できる。例えば、パルプ紙などの紙、編織布、不織布、ウェブ、繊維集積布、多孔質樹脂シートが挙げられる。新聞紙などの古紙も利用できる。紙や布に吸水性ポリマーを配合したものも使用できる。柔軟な変形性のある材料が好ましい。弾力性のある材料は、家畜を載せたときにクッション性があり安定して支持できる。通常は平坦なシート状をなしているが、凹凸や皺、折り目があったり、捩れていたり、湾曲していたりしている場合もある。孔があいていたり、メッシュ状であったりする場合もある。このような構造によって、吸液性を向上させることができる。
【００１４】
吸液マットを焼却処分するには、吸液小片の材料として、焼却時に有害ガスが発生しないなど、焼却処理に適した材料が好ましい。
吸液小片の形状は、短冊状すなわち矩形のものが作製し易く、互いに絡み合った状態になって液体分が通過したり保持されたりする隙間が形成され易く好適である。その他にも、三角形、多角形、円形、長円形、楕円形や、外周辺に凹凸のあるもの、形状が一定しない不定形のものもある。棒状や紐状のものもある。別の用途で使用されていた廃材を利用する場合には、不定形であったり、寸法も一定しなかったりする場合がある。
【００１５】
吸液小片の寸法は、材質や要求性能によっても異なるが、例えば、厚みを０．１〜１０ｍｍ、好ましくは０．２〜３ｍｍに設定できる。吸液小片の長さを、１０〜１０００ｍｍ、好ましくは５０〜２００ｍｍに設定できる。吸液小片の幅を、２〜１００ｍｍ、好ましくは１０〜３０ｍｍに設定できる。
吸液小片を用いることで、液体分を吸収する表面積が増大する。吸液小片同士の隙間が毛細管現象のような作用で迅速に液体分を吸収通過させて、表面側の吸液小片から内部の吸液小片へと液体分を効率的に移行させることができる。吸液小片を収容袋に充填していることで、吸液小片が散乱したり、家畜に付着してしまったりすることがない。取扱いおよび回収が容易になる。
【００１６】
＜収容袋＞
吸液小片が散乱しないように保持しておくとともに、家畜から放出される液体分を良好に通過させて吸液小片へと送り込む。吸液枕材の形状維持性を確保する。その結果、吸液袋体を保持シートの底面部と周壁部との間に挟み込んだときに周壁部の起立状態が良好に維持できる。
収容袋の材料は、編織布、不織布、紙、合成樹脂の連続気泡シートなどが挙げられる。不織布は通液性に優れた多孔性不織布が好ましい。不織布を構成する繊維としては特に限定されないが、レーヨン繊維やパルプ繊維を含むことが好ましい。不織布の製造方法として、サーマルボンド不織布、スパンボンド不織布、ケミカルボンド不織布などが使用できる。目の粗いメッシュ材料は通液性に優れている。網目の大きさを、吸液小片が脱落しない程度に設定しておくことができる。素材自体に通液性を有するものが好ましいが、通液性のないシート材料に、細かな貫通孔を形成して通液性を付与することもできる。非通液性の材料で編まれたメッシュ材料も使用できる。複数の素材シートを積層したものも使用できる。例えば、吸液小片の脱落を防ぐことができる程度に目が細かく薄いシートに、強度に優れた材料で編まれた目の粗いメッシュシートを積層すれば、吸液小片の脱落防止しつつ、良好な通液性や機械的強度の向上を果たすことができる。
【００１７】
収容袋の構造は、各種物品を収容する包装袋や輸送袋などの袋構造が採用できる。例えば、２枚のシート材の外周を貼り合せて袋を構成できる。筒状シート素材の両端を閉じて袋にできる。１枚のシート材を箱状に折り畳んだものも袋になる。複数のシート片を立体的に貼り合せて袋を構成することもできる。
収容袋の表面に界面活性剤などを塗布または含浸させておくと、液体分が吸収し易くなる。
〔吸液枕材の保持シート〕
吸液枕材を保持する。吸液枕材を通過したり吸液枕材に吸収されなかったりした液体分を確実に保持して、吸液マットの外への拡散を阻止する。
【００１８】
保持シートは、底面部と周壁部とを備える。何れも、柔軟な非透液シートで構成されている。底面部と周壁部とは、同じ非透液シートで構成されていても良いし、材質や厚みなどが異なる非透液シートを用いてもよい。
＜非透液シート＞
家畜から放出される血液などの液体分の通過を阻止できる非透液性があり、取扱いが可能な機械的特性を有するシート材料が使用される。家畜の体重が加わっても透液しない程度の非透過性を有することが望ましい。使用時に破れたり孔があいたりし難い機械的強度も要求される。
【００１９】
吸液枕材の挟み込み、および、それによる周壁部の起立動作を可能にするために、柔軟性のある材料が使用される。柔軟性があることで、家畜の重量が加わったり、作業員の踏圧が加わったりしても、損傷し難くなる。使用前には折り畳んだり丸めたりして、嵩の低い状態で輸送、保管を行うことができる。使用後の廃棄作業でも小さくまとめて取り扱うことができる。
吸液マットを焼却処分するには、焼却時に有害ガスが発生しないなど、焼却処理に適した材料が好ましい。
非透液シートの具体的材料として、ポリエチレン（ＰＥ）、ポリプロピレン（ＰＰ）などのポリオレフィン樹脂シート、ポリエチレンテレフタレート（ＰＥＴ）樹脂シートが挙げられる。ハロゲンを含まない炭化水素樹脂シートも使用できる。樹脂シートのほかに、編織布あるいは不織布、紙なども使用できる。透液性のあるシート材料に、非透液性の液剤層を塗工形成したものでもよい。非透液シートの内面に通液性あるいは吸液性のシートを積層したものも使用できる。
【００２０】
非透液シートの厚みは、材質と要求性能によっても異なるが、通常、５０〜１５０μｍに設定できる。５０〜１２０μｍが好ましい。
非透液シートは、通常、平坦であるが、エンボス加工で細かな凹凸を設けたものや畝模様を有するもの断面波形のものなども使用できる。
非透液シートの特性として、引張強度が５００〜２，０００Ｎ／ｍ、伸び率１０〜５０％のものが適している。非透液シートが配向性を有している場合、縦横両方向の特性が上記条件に入ることが望ましい。
＜底面部＞
底面部は、その上に載せる家畜の大きさや解体作業の方法などに合わせて、その材質、形状および寸法が設定される。
【００２１】
底面部の平面形状は、保持シートおよび吸液マットの外形状を決める。通常は、製造および取扱いの容易さから、正方形などの矩形が採用される。その他にも、三角形や多角形、円形、長円形、楕円形などもある。家畜および作業の形態に合わせた湾曲部や凹凸、くびれなどがあってもよい。
底面部は、前記した柔軟な非透液シートで構成される。底面部の中央と周辺とで材質を変えたり、非透液シートを二枚重ねにしたりすることもできる。周壁部との接合個所に、接着剤層を設けたり、ヒートシール材層を設けたりすることもできる。底面部の裏面に滑り止め加工を施しておくこともできる。
【００２２】
＜周壁部＞
底面部との間に吸液枕材を挟み込み、起立状態になることで、液体分の漏れを防止する機能を果たす。
周壁部の材料は、基本的には底面部の材料と共通する非透液シートが使用される。特に、底面部と周壁部とが同じ素材シートから一体的に作製される場合は、同じ非透液シートになる。但し、底面部とは別部材で作製して底面部に一体接合される場合は、底面部とは異なる非透液シートを使用することもできる。例えば、床面と接触しない周壁部は、それほどの機械的強度は要求されないのであれば、底面部よりも薄い材料が使用できる。起立状態の維持を強化するには、比較的に形状維持性のあるシート材料のほうが好ましい場合がある。
【００２３】
周壁部は、底面部の外周辺上面に沿って帯状に配置される。帯状の周壁部は、その一方の側辺である外周側が、底面部と一体形成される。一体形成とは、隙間や孔がない状態で一体化していることを意味する。周壁部と底面部とが１枚の非透液シートで連続形成されている場合と、別個に形成された周壁部と底面部とが辺方向に沿って連続的に接合されている場合とがある。
周壁部と底面部との接合は、各種の接着剤による接合のほか、熱接着、糸による縫着、ピンやリベットによる結合など、各種の接合手段が適用できる。但し、接合個所における液体分の漏れを防止するには、熱接着などの連続的な接合手段が好ましい。保持シートを焼却処分するには、焼却可能な材料を用いる。接合個所に、シール剤を塗工して漏れ防止を図ることもできる。
【００２４】
周壁部の幅Ｗは、吸液枕材を挟み込んで保持でき、保持シートの内側に溜まる液体分を漏らさない程度に設定される。具体的には、保持シートの大きさや形状、使用条件などによっても異なるが、通常、５〜１５ｃｍの範囲に設定される。好ましくは８〜１２ｃｍである。
周壁部を起立状態で使用したときに、内側からの圧力などで、周壁部が外側に捲れ反ってしまわないようにしておくことが必要である。そのための条件として、周壁部の幅Ｗと辺長Ｌとが、Ｗ／Ｌ＝０．０７５〜０．１５の関係にあることが望ましい。
【００２５】
周壁部の幅Ｗは、保持シートの全周で同じ寸法であってもよいし、場所によって異なる幅Ｗのところがあってもよい。例えば、家畜の首から胴体が載せられる側辺では、他の側辺よりも幅Ｗを大きくして、抑えつけられても液体分が漏れ難いようにしたりできる。
周壁部は、保持シートの製造時に、底面部に接合された状態では、通常、底面部の外周辺上面に底面部と平行に重なった状態である。使用時に吸液枕材によって、弾力変形あるいは塑性変形をさせられることで、起立状態になる。
周壁部を、製造段階で、底面部に対して起立した状態で取りつけておくこともできる。例えば、周壁部をテ−パ筒状あるいは台形錘状に構成して底面部に接合すれば、吸液枕材によって変形させられなくても、起立状態にできる。起立状態で製造された周壁部も、使用するまでの間は、底面部と重なるように折り畳んだり丸めておいたりすることができる。予め起立状態に形成しておく周壁部の傾斜角度は、０〜４５°程度に設定できる。
【００２６】
〔吸液枕材の装着〕
保持シートの底面部に、吸液枕材が載せられる。吸液枕材を隙間がないように１面に並べた場合には、底面部の面積に対応する数の吸液枕材を載せることができる。吸液枕材同士を一部で重ねた状態で並べたり、吸液枕材同士の間に空間をあけて並べたりすることもできる。
１枚の保持シートに載せる吸液枕材の数が多いほど、一つの吸液枕材の寸法および吸液後の重量が少なくなって、廃棄処理などの取扱いが容易になる。吸液枕材同士が隣接する隙間に液体分が急速に吸い込まれることで、吸液枕材の表面を液体分が流れて外に漏れる現象を抑えることができる。但し、吸液枕材の数が多いと、製造加工の手間、および、保持シートへの装着の手間が増える。全ての吸液枕材が少なくとも１辺で、周壁部の下に挟み込まれて位置固定されるようにしておくことが望ましい。
【００２７】
通常は、１枚の保持シートに、吸液枕材を２〜８個載せる。好ましくは４〜６個である。
保持シートに吸液枕材を配置するには、吸液枕材の一部を周壁部の下側に差し込んで奥側の隅部分まで押し込むようにするのが好ましい。周壁部を弾力変形あるいは塑性変形させる。周壁部とともに底面部の一部を変形させてもよい。
これによって、周壁部が吸液枕材の上に乗り上げた状態で起立する。周壁部が吸液枕材を上から抑えることで、吸液枕材が固定され、解体作業中の位置ずれが防止できる。吸液枕材の端部が反り返ったり、保持シートの上からはみ出たりすることも防止される。
【００２８】
吸液枕材の装着によって起立状態になった周壁部の起立角度は、吸液枕材の形状や厚みによって変わる。周壁部の変形が許容される範囲で起立角度を変えることができる。起立角度が大きいほど、周壁部の高さが増え、内側でせき止めることのできる液体分の量、深さが増す。但し、起立角度が大きくなり過ぎると、内側から圧力が加わったり、外力が加わったりしたときに、周壁部が外側に反り返ってしまい、却って液体分が漏れ易くなる。吸液枕材を装着した状態での好ましい起立角度は、３０〜６０°である。
吸液マット全体の寸法は、一辺が５０〜２００ｃｍの範囲に設定できる。好ましくは７５〜１１０ｃｍである。吸液マットが小さ過ぎると、液体分の吸収保持が十分に行えず、吸液マットが大き過ぎると、解体作業および解体後の廃棄作業が行い難い。
【００２９】
【発明の実施の形態】
図１〜３に示す実施形態は、ＢＳＥ感染に対する食肉牛の解体検査に使用される吸液マットを示す。
図１に示すように、吸液マット１０は、枕状をなす吸液袋体３０が保持シート２０に装着されている。
＜吸液枕材の保持シート＞
保持シート２０は、全体が、厚み１００μｍの柔軟なポリエチレン樹脂シートで作製されている。図３にも示されているように、保持シート２０は、正方形状をなす底面部２２と、底面部２２の外周辺に沿って帯状に底面部２２の上に重ねられ全体が正方形枠状をなす周壁部２４とを有する。底面部２２と周壁部２４とは、外周端縁に沿って熱接着された細幅状の接合部２６で、一体的に接合されている。
【００３０】
図３に示すように、吸液マット１０を構成する前の保持シート２０は、周壁部２４が底面部２２に沿って平行に重ね合わされた平坦なシート状をなしている。柔軟な保持シート２０は、折り畳んだり筒状に巻き込んだりした状態で取り扱うことができる。
保持シート２０の具体的寸法として、全体外形が１００ｃｍ角の正方形をなし、周壁部２４の幅が１０ｃｍ、接合部２６の幅が約１ｃｍで、吸液袋体３０を４個収容できるものが挙げられる。
＜吸液袋体＞
図１、２に示すように、吸液袋体３０は、全体の平面形が矩形をなすとともに厚みのある枕状をなしている。吸液袋体３０の具体的寸法として、平面形が１辺５０ｃｍの正方形で厚み約５ｃｍのものが挙げられる。
【００３１】
吸液袋体３０は、通液性のある不織布を袋状に縫製してなる収容袋３２と、収容袋３２に充填された吸液小片３４とを有する。吸液小片３４は、吸液性に優れた吸水性ポリマー配合パルプ紙および多孔性不織布からなり、例えば、約１×１０ｃｍの矩形短冊状をなし、収容袋３０に２５０ｇの量で収容されている。
吸液マット１０に設置される吸液袋体３０の数は、解体時に発生する液体の量、あるいは、解体する家畜の大きさなどに対応して設定される。例えば、前記した寸法の吸液袋体３０の場合、通常の食肉牛の解体に使用するには、４個程度を使用すればよい。小型の家畜であれば、２個でも十分である。特に大量の液体が発生する可能性があれば、６個を使用することもできる。
【００３２】
＜吸液マット＞
保持シート２０の上に、４個の吸液袋体３０が配置される。図１に示すように、保持シート２０の各外周辺で、底面部２２と周壁部２４との間に吸液袋体３０を挟み込むようにして、４個の吸液袋体３０が配置される。実際には、吸液袋体３０を周壁部２４の下に押し込むようにする。吸液袋体３０の２辺が周壁部２４の下に挟み込まれて固定保持される。
図２に示すように、吸液袋体３０が挟み込まれることで、周壁部２４が立ち上がり、内側に少し傾いた傾斜状態になっている。傾斜角度は約３０°である。
【００３３】
＜解体作業＞
図２に示すように、家畜解体作業では、例えば、薬殺された死亡牛Ｃを、頭部Ｈが吸液マット１０の上に載るような状態で横たえる。頭部Ｈが、４個の吸液袋体３０の中央に載った状態である。
この状態で、牛Ｃの頚部を切り開いて、胴体から頭部Ｈを切り離し、頭部Ｈから延髄などの検査試料を採取する。
牛Ｃの切断個所から発生する血液などの体液は、吸液袋体３０の収容袋３２を通過して吸液小片３４に吸い込まれて保持される。吸液小片３４同士の隙間でも液体が保持される。特に、粘りが強かったり濃度が高かったりする液体成分は、吸液小片３４そのものの内部までは吸収され難くても、吸液小片３４同士の隙間で保持された状態になって、外部に流れ出ることがなくなる。４個の吸液袋体３０は、互いの間が分離されているので、吸液袋体３０同士の隙間を液体分が迅速に通過して吸液袋体３０の下側まで入り込む。吸液袋体３０の下には保持シート２０の底面部２２が存在するので、液体分が床に漏れることはない。底面部２２の外周は周壁部２４で囲まれているので、吸液マット１０の外側に液体分が漏れることもない。液体分が、吸液袋体３０には直ぐに吸収され難い液体であっても、底面部２２上の空間に溜まった状態で徐々に周辺の吸液袋体３０に吸収されていくことになる。
【００３４】
牛Ｃから出た液体のうち、吸液袋体３０では吸収されなかったり、一旦は吸液袋体３０に吸収されたあと自重で流れだしたりした液体があっても、吸液袋体３０の下方には、非透液性の保持シート２０が存在するので、解体場の床や解体台に漏れることは確実に阻止される。特に、吸液袋体３０の外側に保持シート２０の周壁部２４が存在しているので、保持シート２０の外側に液体が漏れ出すことはない。保持シート２０の底面部２２の上に溜まった液体が外側に流れても、周壁部２４で確実に、せき止めることができる。
図２において、液体分Ｂの液面（二点鎖線で示す）は周壁部２４よりも低い位置にあり、周壁部２４の外側に漏れることはない。
【００３５】
＜解体作業後の処理＞
解体作業および検査作業が終了し、牛Ｃなどの家畜を取り除いたあとの吸液マット１０は、廃棄処分される。
このとき、吸液袋体３０に吸収保持された液体や、保持シート２０の上に溜まった液体を、外部に漏らさないように取り扱う必要がある。
吸液袋体３０を保持シート２０に載せたままで吸液マット１０の全体を運び出して廃棄処理に供することができる。吸液マット１０を外側から内側へと折り畳んだり巻き込んだりして、小さくまとめた状態で取り扱うこともできる。吸液マット１０を外側から紐やテープで縛って取り扱うこともできる。
【００３６】
保持シート２０から吸液袋体３０を取り出して、別々に取り扱うこともできる。吸液袋体３０だけを別の廃棄処理用袋に入れて取り扱うこともできる。
吸液マット１０に吸収された液体分のうち、血液は、空気と接触すると糊状に固まる。固まった血液は流動性を失い、流れ出したり垂れたりすることが少なくなる。この状態になってから、吸液マット１０を保持シート２０から取り外せば、取扱いが容易である。
廃棄処理としては、通常は焼却処分が望ましい。
〔筒状シート素材〕
図４および図５に示す実施形態は、前記実施形態と保持シート２０の構造が異なる。
【００３７】
図５に示すように、保持シート２０の素材として、筒状に成形された樹脂シートを所定長さに裁断したものを用いる。筒状体２１の片面には、周壁部２４を形成するための窓２４ａを切り抜く。
このような筒状体２１の両端辺に、熱接着による接合部２６を形成すれば、図４（ａ）（ｂ）に示す保持シート２０が得られる。窓２４ａの外側には、四方の側辺に周壁部２４が形成される。接合部２６を形成しない側辺では、底面部２２から周壁部２４が連続したシートで構成されることになる。
前記実施形態に比べて、熱接着による接合部２６の形成個所が半分になる。筒状体２１の製造は連続的に大量生産できる。
【００３８】
〔周壁部の折り畳み形成〕
図６に示す実施形態は、１枚の平坦なシート素材を折り畳んで保持シート２０を形成している。
底面部２２の大きさに周壁部２４の幅を加えた大きさの矩形状をなすシート素材を用意し、シート素材の各辺を内側に折り返すことで、周壁部２４を構成する。
図６（ｂ）に示すように、保持シート２０の四隅では、直交する両側辺の折り返し部分が重ね合わされることになる。側辺の重ね合わせ部分を熱接着して接合部２６を形成する。
【００３９】
この実施形態では、１枚の矩形シート素材から、折り返し作業および熱接着作業だけで、底面部２２と周壁部２４とを備えた保持シート２０が製造できる。
〔耳部を有する保持シート〕
図７に示す実施形態は、１枚の矩形状をなすシート素材を用いるとともに、保持シート２０の四隅に耳部２７が形成される。
図７（ｂ）に示すように、シート素材の四辺を折り返す。四隅部では、余ったシート素材を、前記図６（ｂ）のようには折り畳まず、両辺の中間で４５°の位置から上方に折り曲げている。上方に折り曲げた部分が三角形状の耳部２７になる。耳部２７の根元部分を熱接着して接合部２６を形成する。
【００４０】
この耳部２７は、保持シート２０を持ち上げたり移動したりする際の手掛かりに利用できる。耳部２７を片側辺の周壁部２４の上に折り重ねておけば、保持シート２０の輸送保管などの取扱いには邪魔にならない。
耳部２７が不要であれば、接合部２６の上で切断除去しておくこともできる。
〔傾斜した周壁部〕
図８に示す実施形態は、周壁部２４が底面部２２に対して傾斜した状態になっている。
基本的な構造および製造方法は、前記した図７の実施形態と共通している。
【００４１】
但し、接合部２６を、底面部２２と平行な耳部２７の根元に形成せずに、外周側から中央側に高くなる傾斜線状に形成している。
その結果、図８（ｂ）に示すように、周壁部２４が底面部２２に対して角度θで傾斜した状態になる。４辺の周壁部２４が全体として４角錘台形状を構成している。傾斜角度すなわち起立角度θ＝２０〜６０°に設定され、θ＝３０°がより好ましい。
上記実施形態では、保持シート２０に吸液枕材３０を装着する際に、周壁部２４を変形させなくても、周壁部２４と底面部２２の間に容易に吸液枕材３０を差し込むことができる。但し、周壁部２４をさらに変形させるように吸液枕材３０を押し込めば、周壁部２４による吸液枕材３０の抑え作用を強化できる。
【００４２】
なお、保持シート２０のみの輸送保管時には、周壁部２４を傾斜状態で起立させたままで取り扱ってもよいし、柔軟な周壁部２４を折り畳んで底面部２２に重ねた状態にすることもできる。
〔吊り孔の形成〕
図９に示す実施形態は、保持シート２０の四隅に吊り孔を設けている。
保持シート２０の基本的な構造および製造方法は、前記図７の実施形態と共通しており、同様の耳部２７を形成する。
但し、耳部２７の全体を熱接着して熱接合部２６にしている。２枚のシート素材が貼り合せられることで、強度を向上させることができる。
【００４３】
耳部２７の中央には吊り孔２９が貫通している。吊り孔２９にフックやロープなどを引掛けたり通したりすることで、吸液マット１０の移動や持ち上げが容易にできるようになる。家畜の液体分が溜まった保持シート２０の底面部２２や吸液袋体３０に触れることが避けられる。
上記実施形態で、吊り孔２９の周囲に、保持シート２０と同じ素材からなる補強リングを貼り付けて、吊り孔２９を補強しておくこともできる。保持シート２０の折り曲げによって四隅に生じる耳部２７とは別に、吸液マット１０の取扱い時に持つ耳部や吊り孔２９を有するシート片を、保持シート２０に貼り付けておくこともできる。
【００４４】
〔吸液袋体の配置〕
図１０〜図１２に示す実施形態は、前記図１の実施形態とは、吸液袋体３０の大きさと配置が異なる。
図１０の実施形態では、各列３個で２列の合計６個の吸液袋体３０を保持シート２０に装着している。この形態は、比較的に大面積の吸液マット１０を構成するのに適している。例えば、大型の牛に適用したり、小型の家畜の全身を載せたりする用途が挙げられる。
図１１の実施形態は、矩形の保持シートに２個の吸液袋体３０が装着されている。この形態は、小型の家畜の解体や、液体分の放出量が少ない場合、解体後の家畜の頭部だけを保管しておいたりするのに有効である。
【００４５】
図１２の実施形態は、矩形をなす４個の吸液袋体３０が、点対称形に配置されている。４個の吸液袋体３０の中央には保持シート２０の底面部２２が露出している空間が形成されている。この空間は、家畜から放出された液体分を迅速に底面部２２の表面まで到達させるのに有効である。吸液袋体３０の表面を外側に流れ落ちることが防げる。解体後に、中央の空間に溜まった液体分の量や血液の塊具合などを検査するのにも利用できる。
【００４６】
【実施例】
本発明の吸液マット１０を製造し、その性能を評価した結果を示す。
〔吸液枕体ａ〕
環境機器社製「すいとるＳ」（商品名）を用いた。外形３５０×５００ｍｍの矩形で厚み約５０ｍｍである。吸液小片３４は、吸水性ポリマー配合パルプ紙〔伊野紙社製〕および多孔性サーマルボンド不織布〔金星製紙製、エンボス処理品〕を、長さ約１０ｃｍ×幅約１ｃｍの短冊状に裁断したものである。
収容袋３２は、レーヨン繊維・パルプ繊維含有メッシュ状不織布〔三昭紙業社製〕を用いている。収容袋３２に、吸液小片３４は２００ｇ充填されている。
【００４７】
〔吸液マットＡ〕
図１１に示す構造を有する。保持シート２０は、厚さ１００μｍのポリエチレンシートからなり、外形が５７×６７ｃｍの矩形、接合部２６の幅が約１ｃｍ、周壁部２４の幅Ｗ＝６ｃｍ、周壁部２４の内法寸法すなわち辺長Ｌ＝６５ｃｍ（長辺側）、Ｌ＝５５ｃｍ（短辺側）である。
吸液枕体ａを２個、保持シート２０に装着した。
〔吸液マットＢ〕
図１２に示す構造を有する。保持シート２０は、厚さ１００μｍのポリエチレンシートからなり、外形が１辺７７ｃｍの正方形、接合部２６の幅が約１ｃｍ、周壁部２４の幅Ｗ＝６ｃｍ、周壁部２４の辺長Ｌ＝７５ｃｍである。
【００４８】
吸液枕体ａを４個、保持シート２０に装着した。
〔吸液マットＣ〕
図１０に示す構造を有する。保持シート２０は、厚さ１００μｍのポリエチレンシートからなり、外形が１辺１００ｃｍの正方形、接合部２６の幅が約１ｃｍ、周壁部２４の幅Ｗ＝１０ｃｍ、周壁部２４の辺長Ｌ＝９８ｃｍである。
吸液枕体ａを６個、保持シート２０に装着した。
〔人工血液吸収試験〕
粘度などの特性を血液と同様に調整してなる人工血液を用いた。
【００４９】
吸液マットＡには、約８Ｌの人工血液を吸収保持させることができた。作業中に数滴の人工血液が周囲に飛散したが、実用上は問題のない程度であった。
吸液マットＢには、約１２Ｌの人工血液を吸収保持させることができた。周囲への飛散は全くなかった。
〔解体実施試験〕
１）吸液マットＣを用いて、体重約６００ｋｇの牛のＢＳＥ感染検査を行った。薬殺された死亡牛を解体作業場の床に横たえ、牛の頭部を少し持ち上げて、その下に吸液マットＣを差し入れ、吸液マットＣの上に牛の頭部が載るようにした。その後、通常の作業手順で、ＢＳＥ感染検査を行うための解体作業を行った。具体的には、牛の頚部を切断し、頭部から延髄を取り出して検査試料を採取した。
【００５０】
死亡直後の解体であったため、比較的大量の血液（約３０Ｌ）が短時間で放出された。血液は吸液マットＣで吸収保持された。作業中に数１０ｍｌの血液が周囲に飛散したが、実用上は問題のない程度であった。
解体作業後の吸液マットＣは、血液が固化したあとでは、保持シートから吸液枕体ａを取り出しても、血液がたれることはなかった。吸液マットＣは全て、焼却処理によって処分することができた。
２）吸液マットＣを用いて、体重約６５０ｋｇの牛のＢＳＥ感染検査を行った。作業手順は前記同様である。但し、死亡約５時間後の牛を用いた。血液放出量は推定約５Ｌであった。放出された血液は全て吸液マットＣで吸収保持でき、周辺に漏れる血液は全くなかった。
【００５１】
〔評価〕
上記試験の結果から、以下のことが判った。
ａ）１００×１００ｃｍの保持シート２０に吸液枕体ａを６個装着した吸液マットＣであれば、血液放出量の多い死亡直後の大型家畜にも良好に適用できることが判る。吸液枕体ａを、より大型のものに変更すれば、４個でも対応できるものと思われる。死亡後の時間がたった家畜では、吸液枕体ａを２〜４個使用すれば十分である。
ｂ）家畜の重量や検査方法によって、放出される液体分の量を推定し、
放出液体分の総量／吸液枕体１個当たりの吸液量＝吸液枕体ａの個数    …（１）
に対応する吸液マット１０を使用すれば良いことになる。
【００５２】
吸液枕体ａは、１個当たり約５Ｌ程度の血液が吸収保持できることが判ったので、前記式（１）を適用すれば、吸液マット１０の設計ができる。
【００５３】
【発明の効果】
本発明にかかる家畜解体用の吸液マットは、液体分の吸収性能に優れた吸液袋体などの吸液枕体を、底面部と周壁部とを有する保持シートに装着して使用される。
吸液枕体が周壁部と底面部との間に挟み込まれることで、吸液枕体が確実に位置固定される。吸液マットの全体を家畜の下に滑り込ませるようにして設置すれば、吸液枕体を個別に設置するよりも、はるかに作業が簡単である。吸液枕体の上で家畜を動かしたり作業者が載ったりしても、吸液枕体の位置がずれることがない。
【００５４】
吸液マットに放出された家畜の液体分は、吸液枕体で迅速に吸収することができる。吸液枕体には吸収されずに落下した液体分も、保持シートの底面部に溜まったあと吸液枕体に吸収される。吸液枕体から染み出したりした液体分も保持シートで受け止められる。
特に、保持シートの周壁部は、吸液枕体を挟み込まれることで起立状態になるので、底面部に溜まった液体分が保持シートの外に漏れるのを、周壁部が確実にせき止める。
柔軟なシート材からなる周壁部は、吸液枕体の挟み込みが容易で、挟み込まれた状態で吸液枕体を抑えつける作用も十分に発揮できる。保持シートの輸送保管時には、周壁部を底面部に重ねておけば、嵩が低くなり取扱いが容易である。底面部も柔軟なシート材からなるので、保持シートの全体を折り畳んだり巻き込んだりしておけば、非常にコンパクトに収納あるいは運搬が行える。
【図面の簡単な説明】
【図１】本発明の実施形態を表す吸液マットの平面図
【図２】使用状態の断面図
【図３】使用前の保持シートの断面図
【図４】別の実施形態を表す保持シートの平面図（ａ）と断面図（ｂ）
【図５】筒状素材の斜視図
【図６】別の実施形態を表す保持シートの平面図（ａ）と要部斜視図（ｂ）
【図７】別の実施形態を表す保持シートの平面図（ａ）と要部斜視図（ｂ）
【図８】別の実施形態を表す保持シートの要部斜視図（ａ）と平面図（ｂ）
【図９】別の実施形態を表す保持シートの要部斜視図
【図１０】別の実施形態を表す吸液マットの平面図
【図１１】別の実施形態を表す吸液マットの平面図
【図１２】別の実施形態を表す吸液マットの平面図
【符号の説明】
１０    吸液マット
２０    保持シート
２１    筒状体
２２    底面部
２４    周壁部
２４ａ  窓
２６    接合部
２７    耳部
２９    吊り孔
３０    吸液袋体
３２    収容袋
３４    吸液小片
Ｂ      液面
Ｃ      牛
Ｈ      頭部
【図１】
2004187553.tif 000003
【図２】
2004187553.tif 000004
【図３】
2004187553.tif 000005
【図４】
2004187553.tif 000006
【図５】
2004187553.tif 000007
【図６】
2004187553.tif 000008
【図７】
2004187553.tif 000009
【図８】
2004187553.tif 000010
【図９】
2004187553.tif 000011
【図１０】
2004187553.tif 000012
【図１１】
2004187553.tif 000013
【図１２】
2004187553.tif 000014